(57)【要約】      （修正有）【課題】鮮魚、小魚など傷つき易い移送物を、効率的に移送でき、複雑な機構を使用することなく、簡単な装置で、漁船、小さな船の上でも使用でき、しらすのような小魚が、網の中で密集している場合でも、密集の状態のままでサクションホースに吸入され、しかも、傷つけることはない移送ポンプシステムを提供する。【解決手段】移送物と海水を一緒に吸い込む吸込口を先端に有する移送物吸揚管４を接続した自吸能力がない主ポンプ３１と、先端に海水のみを吸い込む吸込口を有する海水吸込管５を接続した真空吸引能力のある補助ポンプ３２を備え、主ポンプ３１内を真空吸引できるように、主ポンプ３１の上流の吸揚管４に、補助ポンプ３２の吸込管５が接続され、主ポンプ３１の吐出口は、移送物包含水の吐出ラインに接続される構造を有する移送物移送ポンプシステムである。【選択図】図２
2009062144.tif 000002
【特許請求の範囲】
【請求項１】
自吸能力がない主ポンプと、真空吸引能力のある少なくとも１つの補助ポンプを組み合わせて使用し、主ポンプ内を真空吸引できるように、主ポンプとその吸込口の中間に、補助ポンプの吸込ラインが接続され、
主ポンプの吸込口は、移送物と水を一緒に吸い込むように、集魚網などの中に配置され、補助ポンプの吸込口は、水中から水のみを吸引する位置に配置され、主ポンプの吐出口は、移送物と水を分別する機器に接続した吐出ラインに接続されている構造を有することを特徴とする移送ポンプシステム。
【請求項２】
主ポンプの下流には、逆流防止弁が配置され、補助ポンプの上流側の吸込ラインには、主ポンプ吸込ラインとの接続点より上流に開閉パルブが配置され、該接続点より下流に逆流防止弁を設けることを特徴とする請求項１に記載の移送ポンプシステム。
【請求項３】
主ポンプは、移送物が容易に通過できるようなボリュートポンプあるいは通常のフィッシュポンプであり、補助ポンプは、密閉ケーシング内を回転するインペラーにより、真空吸引するブレードレスローターポンプであり、移送物は通過しないことを特徴とする請求項１あるいは２に記載の移送ポンプシステム。
【請求項４】
補助ポンプのインペラーは、ゴムインペラーであることを特徴とする請求項３に記載の移送ポンプシステム。
【請求項５】
補助ポンプの水のみを吸い込む吸い込み口は、ごみなどの異物が入らないように多孔板の吸い込み口であることを特徴とする請求項１〜４のいずれかに記載の移送ポンプシステム。
【請求項６】
主ポンプに配された逆流防止弁は、鮮魚など移送物を傷つけないように、ゴムなどの軟質材料で作製されていることを特徴とする請求項１〜５のいずれかに記載の移送ポンプシステム。
【請求項７】
補助ポンプの水のみを吸い込み吸込口は、複数設けられることを特徴とする請求項１〜６のいずれかに記載の移送ポンプシステム。
【請求項８】
主ポンプの上流の吸込ラインの、補助ポンプからの接続点付近に圧力センサーを設け、圧力の所定量の低下があった場合には、補助ポンプを始動させる自動ポンプ始動回路を組み込んだことを特徴とする請求項１〜７のいずれかに記載の移送ポンプシステム。
【発明の詳細な説明】
【技術分野】
【０００１】
本発明は、主として、鮮魚、小魚などの移送物を、水（あるいは海水）を搬送媒体に用いた移送する移送ポンプシステムに関する。特に、鮮魚など移送物の損傷がほとんどなく、効率的な移送ポンプシステムを実現した事に関する。
【背景技術】
【０００２】
従来、移送物、養殖魚、魚類の陸揚げ、あるいは集魚槽、集魚網等からの漁船、母船への揚魚作業においては、移送物移送ポンプ、所謂フィッシュポンプが広く、一般的に用いられてきた。
【０００３】
現在、この移送ポンプシステムとして、一般的に使用されている揚魚装置は、大別して、１．いわゆる魚ポンプと呼ばれるブレードレスポンプや噴流式ポンプにより、水と共に移送する方式と、２．密閉タンクを真空ポンプで減圧し、一旦密閉タンク内に吸い上げ、次いで加圧ポンプにより吐出側逆止弁及び吐出管を介して吐出させる吸入圧送方式が知られている。
【０００４】
１の方式は、ブレードレスポンプや噴流ポンプの中を移送物が水と一緒に通過しなければならないために、移送物が傷つくおそれがある。一方、２の方式では、真空で吸い上げるために、ポンプ中を移送物が通過することが必然でないために、鮮魚などが傷つく可能性は少ないが、機構が複雑になり、効率的な運転操作ができないことが多い。また、逆止弁などに、魚や木片などの異物が挟まることがしばしば起こる。
【０００５】
更に、漁網の中に集めた鮮魚などは、漁網の中で密度が低い部分と高い部分がある場合に、吸い揚げ作業を連即して行われると、高密度の部分になると、鮮魚などが、吸揚管の細い部分で詰まり出し、吸揚作業の効率が下がり、ある場合には、吸込ができなくなったりする。このような場合、吸揚作業の低下ひいては鮮魚が詰まり傷つけられることがある。また、激しい場合には、作業停止して、挟まった鮮魚やその他の介在物を除去して、運転の再開しなければならない。
【０００６】
また、一旦詰まった鮮魚、挟在物を取り除くには、作業が中断され、効率が著しく下がる。また、２の方式では、減圧した密閉タンク内に一旦吸入し、そして、空気を圧入して、吐出させるという面倒で複雑な機構を必要としている（特許文献４参照）。
【特許文献１】特開昭５１−６３２９２号公報
【特許文献２】実案公報平２−３７７８１号公報
【特許文献３】特開昭５１−６３２９３号公報
【特許文献４】特開昭５７−５７１２３号公報
【発明の開示】
【発明が解決しようとする課題】
【０００７】
本発明の基本的な課題は、鮮魚、小魚など傷つき易い移送物を、水（あるいは海水）を搬送媒体に用いて、効率的に移送する移送ポンプシステムを実現することである。
【０００８】
本発明の第２の課題は、複雑な機構を使用することなく、簡単な装置で、漁船、小さな船の上でも使用できる移送ポンプシステムを提供することである。
【０００９】
更に、第３の課題は、しらすのような小魚が、網の中で密集している場合でも、密集の状態のままで、吸揚られ、密集によるポンプ系の詰まりは、自動的に解消され、しかも、傷つけることはない移送ポンプシステムを提供することである。
【００１０】
本発明の第４の課題は、減圧タンクなどの余計な設備を必要とせずに、容易に、鮮魚の吸揚作業を連続的に行うことができる移送ポンプシステムを提供することである。
【課題を解決するための手段】
【００１１】
上記のような課題を解決するために、鋭意研究の結果、鮮魚などの移送物の損傷が生じない移送ポンプシステムを発明した。それは、自吸能力がない主ポンプと、真空吸引能力のある補助ポンプを組み合わせ使用し、主ポンプ内を真空吸引できるように、主ポンプとその吸込口の中間に、補助ポンプの吸込ラインが接続され、主ポンプの吸込口は、移送物と水を一緒に吸い込むように、集魚網などの中に配置され、補助ポンプの吸込口は、海水中から海水のみを吸引するように、魚網などの中以外の位置に配置され、主ポンプの吐出口は、移送物と水を分別する機器に接続した吐出ラインに接続されていることを特徴とする移送ポンプシステムである。以下の各項の構成である。
【００１２】
（１）移送物と水を一緒に吸い込む吸込口１を先端に有する移送物吸揚管４を接続した自吸能力がない主ポンプ３１と、先端に水のみを吸い込む吸込口３を有する水吸込管５を接続した真空吸引能力のある補助ポンプ３２を備え、主ポンプ３１内を真空吸引できるように、主ポンプの上流の移送物吸揚管４に、補助ポンプ３２の吸込管５が接続され、主ポンプの吐出口は、移送物包含水の吐出ラインに接続される構造を有する移送ポンプシステムである。
【００１３】
（２）主ポンプの下流には、逆流防止弁が配置され、補助ポンプの上流側の吸込ラインには、主ポンプ吸込ラインと接続点より上流に開閉パルブが配置され、該接続点より下流に逆流弁を設ける。
【００１４】
（３）主ポンプは、鮮魚などの移送物が傷つくことなく容易に通過できるようなボリュートポンプあるいは通常のフィッシュポンプであり、補助ポンプは、密閉ケーシング内を回転するインペラーにより、真空吸引するブレードレスローターポンプであり、移送物は通過しないものである。
【００１５】
（４）補助ポンプのインペラーは、ゴムインペラーである。
（５）水のみを吸い込む吸い込み口は、ごみなどの異物を入らないように多孔板の吸い込み口である。
【００１６】
（６）主ポンプに配された逆流防止弁は、鮮魚など移送物を傷つけないように、ゴムなどの軟質材料で作製されている。
（７）水のみ吸い込む水吸込管は、複数設けられる。
（８）主ポンプの上流の吸込ラインの、補助ポンプからの接続点付近に圧力センサーを設け、圧力の所定量の低下を検知した場合には、補助ポンプの少なくとも１つを始動させる自動ポンプ始動回路を組み込む。
【発明の効果】
【００１７】
本発明により、鮮魚、小魚など傷つき易いものを、水（あるいは海水）と一緒に、効率的に移送することが可能となった。また、本発明の移送ポンプシステムは、複雑な機構を使用することなく、簡単な装置で、漁船、小さな船の上でも使用できる。更に、しらすのような小魚が、魚網の中で密集している場合でも、密集の状態のままで、吸揚され、密集によるポンプ系の詰まりは、自動的に解消され、しかも、傷つけることはないポンプシステムが可能になった。更にいえば、減圧タンクなどの余計な設備を必要とせずに、簡単な機構により容易に、鮮魚の吸揚作業を連続的に行うことができる。
【実施例】
【００１８】
本発明の基本的な構成は、図１に示されるように、鮮魚などの移送物と水(海水）とを一緒に吸い込む吸込口１を先端に有する吸揚管４を接続した自吸能力がないポンプの主ポンプ３１と、先端に水のみを吸い込む多孔板の吸込面３を有する水吸込管５を接続した真空吸引能力のある補助ポンプ３２を備える。
吸揚口１は、図示のように、例えば、集魚網２の中に投入されていて、集魚網で捕獲した鮮魚と海水を一緒に吸揚げる。一方、水吸込管５は別途、魚網の中でないような、魚のいない海水中に投入されている。そして、本発明の移送ポンプシステムでは、主ポンプ３１内を真空吸引できるように、主ポンプの上流の吸揚管４に、補助ポンプ３２の吸込管５が接続され、鮮魚と海水と一緒の吸揚操作の開始時には、主ポンプ３１内が減圧されて、吸揚作業が容易に開始され、効率的に操作されるようにする。
【００１９】
即ち、吸揚管４は、図示のように、本発明のシステムの入口Ａに接続されており、水吸込管５は、Ｂに接続されている。システムの内部は、図２に示すようになっている。
一方、主ポンプ３１の吐出口は、出口Ｃにおいて、移送物包含海水の吐出ライン８に接続され、それは、鮮魚と海水とを一緒にして、ライン８で魚と水を分別する装置９（図示せず）に移送されるものである。
【００２０】
即ち、図１は、本発明の移送ポンプシステムの系統図を示し、図２は、その内部構造を示す。
【００２１】
本発明の移送ポンプシステムは、図１に示されるような構成のポンプシステムである。本発明によると、原則として、主ポンプ３１は、自吸能力がなく、例えば、ボリュートポンプあるいは通常のフィッシュポンプを用いることができる。そのために、真空吸引能力のある補助ポンプ３２を使用し、鮮魚吸揚作業の開始時には、主ポンプ３１内を真空引きする。即ち、鮮魚と海水とを一緒に吸い込む吸込口１を先端に有する吸揚管４を接続した自吸能力がない主ポンプ３１と、先端に海水のみを吸い込む吸込口３を有する水吸込管５を接続した真空吸引能力のある補助ポンプ３２を備え、主ポンプ３１内を真空吸引できるように、主ポンプの上流の吸揚管４に、補助ポンプ３２の吸込管５が接続され、主ポンプの運転開始時には、主ポンプ内を減圧して、容易に主ポンプが吸揚を開始することができる。主ポンプの吐出口は、鮮魚包含水の吐出ラインに接続される。
【００２２】
主ポンプ３１の下流には、逆流防止弁４１が配置され、補助ポンプ３２の上流側の吸込ライン５には、主ポンプ吸込ライン４との接続点より上流に開閉パルブ１５が配置される。このバルブは、原則、停止時には閉で、運転時には開く。更に、吸込ライン５の接続点より下流には逆流弁５１が設けられる。
【００２３】
主ポンプ３１は、鮮魚が傷つくことなく容易に通過できるようなボリュートポンプあるいは通常のフィッシュポンプである。補助ポンプ３２は、図３に示すように、密閉ケーシング３８内を回転するインペラー３７により、真空吸引するブレードレスローターポンプであり、鮮魚は通過しないものである
【００２４】
即ち、本発明の移送ポンプシステム６では、最初にエアー抜きのために、補助ポンプ３２を始動させると、主ポンプ３１内は真空となり、吸い込みライン４は、容易に、鮮魚と海水とを吸引し始め、一方、吸い込みライン５には、海水のみが上がってくる。主ポンプ内が海水で満たされると、ライン１１より、海水(水)が吐出する。そのとき、吐出口Ｄからのライン１１の水流を見て、エアー抜き終了を確認することができ、その後に、補助ポンプ３２を停止し、次に、主ポンプ３１を駆動する。すると、吸揚ライン４は、鮮魚と海水とが一定の割合で揚がってくる。そして、吐出ライン８より出た鮮魚と海水は、分別装置（図示せず）に送られ、鮮魚と海水は、自動的に分別される。
【００２５】
このような正常な運転では問題が生じないが、図１に示す集魚網２の中の鮮魚には、密度の濃い部分と薄い部分があるので、濃い部分を吸い上げると、ホース内やポンプ内やバルブ部分や逆止弁で、詰まり、鮮魚に傷を与える場合がある。即ち、鮮魚の密度の濃い部分を吸い上げると、ホース内の鮮魚がいっぱいになり、ホース内の特に狭い部分で、詰まり易くなり、鮮魚の移動が遅くなる。すると、吸揚ライン４内の圧力が下がる。吸揚ライン４内の圧力は、吸込ライン５内の圧力より、低いなるために、差圧が生じ、水吸込ライン５からは、海水のみが多く揚がってくるようになり、吸揚ライン４内の鮮魚密度を下げることができる。すると、ホース４内の鮮魚の密度が薄い、あるいは、鮮魚の詰まりが除去され、円滑に移送が行われるようになる。本発明の移送ポンプシステムにおいては、このようなメカニズムにより、鮮魚へのダメージを抑えることができる。
【００２６】
更に、他の１実施例としては、水吸込管５を複数にすることができる。また、補助ポンプ３２は、単数でも、有効であるが、より強力にするために、複数にすることもできる。鮮魚の詰まり現象をすばやく解消する必要がある場合、特に有効である。
更に云えば、本発明の鮮魚移送ポンプシステムは、以上の鮮魚の詰まりを自動的に解消できるシステムである。即ち、主ポンプ３１の上流の吸揚ライン４の、補助ポンプ３２からの接続点付近に圧力センサー２０を図示のように、設け、圧力を測定する。そして、測定した圧力が、所定量以上、低下した場合には、補助ポンプ３２の少なくとも１つを始動させ、水吸込ライン５から、大量の海水が、鮮魚吸込ライン４に供給されるようにする。即ち、本発明によると、このための自動ポンプ始動回路を組み込み、システムの自動化を図かることができる。
【００２７】
水のみが揚がる水吸込ライン５は、多孔板による入口のポート２より導入される。水吸込ライン５は、主ポンプの上流に接続されているので、ライン４が詰まり出し、減圧されると、大量の海水がライン４に導入される。従って、特に高速大容量で鮮魚を揚げる場合、このようなポート２を複数個接続すると、この効果は、倍増され、より効果的になる。即ち、水吸込管と補助ポンプとのセットは、複数設けることができる。更に、主ポンプの上流に、図２に示すように、圧力センサー２０を設け、例えば、設定圧力Ｐ１から予め決めた圧力Ｐ２にまで、Ｐ１からＰ２に下がり、Ｐ１−Ｐ２＝Ｐ０の圧力差の圧力低下が検知されると、補助ポンプ３２のスイッチが入り、補助ポンプ系から、大量の海水が、吸揚ライン４に導入され、詰まったライン４が解消される。即ち、本発明の移送ポンプシステムでは、自動運転が可能である。
【００２８】
多孔板入り口ポート２を用いる目的は、補助ポンプ３２の駆動のとき、補助ポンプ系へのごみなどの異物が流入するのを防止するためである。
【００２９】
図１の１０のライン（具体的にはホース）は、雑用水から注水されるもので、補助ポンプ３２（図２参照）は、自身、真空吸入能力があるが、ゴムインペラー３７（図３参照）が摩擦で熱を持つことを防止するために、冷却を必要とするために、最初だけ、１０から注水する。すると、インペラー３７とハウジング３８との間（図４参照）に、水の封膜が形成され、より高い真空度が得られる。この注水量は、微量で足りる。また、他に、注水ポンプがない場合には、注水タンク(図示せず)を設けることにより、解決することができる。
【００３０】
本発明の移送ポンプシステムの具体的な構造は、図２に示される。ここで、排気ライン１７と１８は、主ポンプ３１内を真空にするための排気ラインである。図２のチェック弁体４１は、吐出ラインの逆流防止と主ポンプ３１内の真空引きするときに、密閉するためである。このチェック弁体は、鮮魚などをなるべく傷つけないように、ゴムなどの柔軟性材料で薄いシートで作製することが好適である。
【００３１】
一般的に、本発明の移送ポンプシステムにおいて、補助ポンプ系のバルブ１５は、移送ポンプの操作開始時に、真空引きのために閉にしておくことにより、真空引きの時間を短縮することができる。ただし、比較的に傷つき易い小魚を吸い上げる場合には、ゆっくり揚げなければならないために、開のままでも、よい。
【００３２】
一般的には、鮮魚と海水(水)の割合は、鮮魚より海水が若干多くする方が、操作上、好都合である。然しながら、集魚網の中から鮮魚を上げる場合、魚の状況がつかめない状態におちいるときには、本発明の移送ポンプシステムにより、図１のような構成にして、海水を直接に吸い上げるライン５を設けることにより、比較的に簡単な構造で、最適な鮮魚／海水の比率に保持することができる。
【図面の簡単な説明】
【００３３】
【図１】本発明の移送物移送ポンプシステムの原理と系統を説明する模式図である。
【図２】本発明の移送物移送ポンプシステムの１具体例の構造を示す模式図である。
【図３】補助ポンプの付近の構成を説明する断面図である。
【符号の説明】
【００３４】
Ａ      鮮魚と水を一緒に吸い込む口
Ｂ      鮮魚と水を一緒の吐出口
Ｃ      海水のみの吸い込み口
Ｄ      補助ポンプからの吐出口
１      鮮魚吸揚口                      
２      集魚網
３      海水吸込口（多孔板）        
４      鮮魚吸揚ホース
５      海水のみの吸込ホース
６      本発明の移送ポンプシステム
７      ドレンコック
８      鮮魚吐出ホース                
９      鮮魚分別装置へ                  
１０      注水ホース
１１      空気抜きホース                  
１２      漁船                            
１３      海面
１５      開閉バルブ
１６      注水ライン
１７、１８    排気ライン        
２０      圧力センサー
３１      主ポンプ
３２      補助ポンプ
３７      ゴムインペラー
３８      ケーシング
４１      逆流防止弁
５１      逆流防止弁
【図１】
2009062144.tif 000003
【図２】
2009062144.tif 000004
【図３】
2009062144.tif 000005
【手続補正書】
【提出日】平成19年10月24日(2007.10.24)
【手続補正１】
【補正対象書類名】明細書
【補正対象項目名】００１９
【補正方法】変更
【補正の内容】
【００１９】
即ち、吸揚管４は、図示のように、本発明のシステムの入口Ａに接続されており、水吸込管５はＣに接続されている。システムの内部は、図２に示すようになっている。
一方、主ポンプ３１の吐出口は、出口Ｂにおいて、移送物包含海水の吐出ライン８に接続され、それは、鮮魚と海水とを一緒にして、ライン８で魚と水を分別する装置９（図示せず）に移送されるものである。